(57)【要約】【課題】  天板に設けた開口部に開閉可能にダクト蓋体を設けたテーブルにおいて、開口部内へのダクト蓋体の組み付けが容易であり、ダクト蓋体の開閉動作もスムーズに行え、ダクト蓋体の開放状態ではダクト開口部を広く開放することができる配線機能付きテーブルを提供する。【解決手段】  天板１に設けた開口部３２に開閉可能にダクト蓋体６を設けたテーブルにおいて、開口部３２にダクト枠を設けるとともに、その下方で開口部の中央部に杆体１９を有し、一対の軸受具５３を開口部内で杆体の両端部位置に取付け、軸受具には一対の軸受筒５６，５６の開放部を開口部の内部に向けて並設し、ダクト蓋体６はダクト枠の内形よりも一回り小さな形状の半分の大きさを有する板体であり、各ダクト蓋体の裏面一側縁の両端部に円柱状のスリーブ６５を設け、該スリーブを軸受具の軸受筒に回転可能に嵌合してなる。【選択図】        図３
2014097204.tif 000002
【特許請求の範囲】
【請求項１】
天板に設けた開口部に開閉可能にダクト蓋体を設けたテーブルにおいて、前記開口部に一対の軸受具を取付け、前記ダクト蓋体は前記ダクト枠の内形よりも一回り小さな形状の半分の大きさを有する板体であり、各ダクト蓋体の裏面一側縁の両端部を前記軸受具に回転可能に軸着し、水平な閉止状態と立起した開放状態をとることを特徴とする配線機能付きテーブル。
【請求項２】
天板に設けた開口部に開閉可能にダクト蓋体を設けたテーブルにおいて、前記開口部にダクト枠を設けるとともに、その下方で開口部の中央部に杆体を有し、一対の軸受具を前記開口部内で前記杆体の両端部位置に取付け、該軸受具には一対の軸受筒の開放部を開口部の内部に向けて並設し、前記ダクト蓋体は前記ダクト枠の内形よりも一回り小さな形状の半分の大きさを有する板体であり、各ダクト蓋体の裏面一側縁の両端部に円柱状のスリーブを設け、該スリーブを前記軸受具の軸受筒に回転可能に嵌合してなることを特徴とする配線機能付きテーブル。
【請求項３】
前記ダクト枠の下端には前記開口部の内部へ向けてフランジ部を有し、該フランジ部を前記杆体に取付け、前記軸受具には前記杆体を両側から挟みこんで保持する嵌合部と、前記フランジ部の上面に載置する固定部を有し、該固定部を前記フランジ部にネジ止めしてなる請求項２記載の配線機能付きテーブル。
【請求項４】
前記ダクト蓋体は、下面の一側縁に沿って支軸を嵌着する保持部を突設し、該保持部から両端が突出した前記支軸の端部に円柱状の前記スリーブを同軸に嵌着し、該スリーブを前記軸受具の軸受筒の内部に回動可能に嵌合してなる請求項２又は３記載の配線機能付きテーブル。
【請求項５】
前記両ダクト蓋体を開放状態に立起させたときには、若干オーバーハングする状態まで回動して、前記ダクト蓋体の基端部が前記軸受具の軸受筒間の底面部に当接して停止し、両ダクト蓋体の遊端側が接近した略ハ字形の状態となって安定する請求項２〜４何れか１項に記載の配線機能付きテーブル。
【請求項６】
前記両ダクト蓋体を開放状態に立起させたときには、９０度の直立状態まで回動して、前記ダクト蓋体の基端部の近傍に設けた爪と軸受筒の後方の係合部でクリック感を生じさせて平行に保持する請求項２〜４何れか１項に記載の配線機能付きテーブル。
【発明の詳細な説明】
【技術分野】
【０００１】
本発明は、配線機能付きテーブルに係わり、更に詳しくは天板上で使用する電気機器のコード類を天板下で配線処理することを可能とした配線機能付きテーブルに関するものである。
【背景技術】
【０００２】
従来から、複数の天板を連設し、端部に位置する天板の外側端おいて棒脚あるいは脚板で支持するとともに、天板の連結部においては中間脚で支持した構造のテーブルは各種提供されている。また、天板の下面周縁部にビーム部材を配置して天板を補強するとともに、コーナー部でビーム部材に連結した脚ブラケットに棒脚を固定する基本構造も公知である。
【０００３】
そして、天板の中央部にダクト開口部を設け、該開口部に開閉可能にダクト蓋体を設けるとともに、ダクト開口部の下方に天板下の配線ダクトに連通するようにした配線ダクト装置を備えたテーブルも各種提供され、配線ダクト装置の形態も様々である。
【０００４】
例えば、特許文献１には、前後の天板間に所定の間隙を設けるとともに、その間隙に沿った天板下面側には樋状部材を取付けて配線空間を形成し、更に天板の左右中央部で前後の天板の対向部分に切欠部を形成して平面視略正方形のダクト開口部を形成し、該開口部に２枚の配線カバーを間に前記間隙と同様な間隙を設けて開閉可能且つ着脱可能に設けた構造の配線ダクト装置が開示されている。ここで、前記配線カバーの裏面には、裏当て板部を有し、該裏当て板部を用いてダクト開口部の一側縁部に密接した状態で、ダクト開口部内に設けたカバー受け部で開閉可能に支持されている。カバー受け部による支持構造が、平面視略正方形のダクト開口部の４つの辺縁で同じになっており、どの辺縁に沿っても取付けることができるようになっている。それにより、配線カバーの長辺を天板の長辺方向に向けて取付け、あるいは天板の短辺方向に向けて取付けることができ、天板の長辺側あるいは短辺側に位置する使用者から開閉操作がし易い向きに取付けることを特徴としている。
【０００５】
しかし、特許文献１に記載の配線ダクト装置は、前後の天板間の間隙の方向と平行に前後に配線カバーを取付けた状態では、該配線カバー間に天板間の間隙と連続する空間が形成され、該空間を利用してコード類を引き出すことができ、天板間の間隙と機能上の区別がなく、下方の配線空間を利用できるが、コード類を引き出す位置の固定が困難である。また、両配線カバーを取外し、ダクト開口部を開放すれば、配線空間へのアクセスが容易になるが、配線作業後に配線カバーを取付けるには、コード類を邪魔にならない位置に移動した状態で作業になければならず、手間がかかる。
【０００６】
また、特許文献２には、前後の天板間に間隙を形成し、該間隙に配線ダクト装置の下端に沿って突設した板状の支持部を前記間隙に嵌入し、前後の天板の境界部分に配線ダクト装置を設ける構造が開示されている。また、前記配線ダクト装置を利用して衝立を支持する点も記載されている。この特許文献２に記載の配線ダクト装置は、天板上の作業のみでコード類を配線することができるが、天板上に嵩張って天板の使用スペーが狭くなるばかりでなく、外観性にも劣る。
【先行技術文献】
【特許文献】
【０００７】
【特許文献１】特許第４３４９０５３号公報
【特許文献２】特開平１１−３４６８３４号公報
【発明の概要】
【発明が解決しようとする課題】
【０００８】
そこで、本発明が前述の状況に鑑み、解決しようとするところは、天板に設けた開口部に開閉可能にダクト蓋体を設けたテーブルにおいて、開口部内へのダクト蓋体の組み付けが容易であり、ダクト蓋体の開閉動作もスムーズに行え、ダクト蓋体の開放状態ではダクト開口部を広く開放することができる配線機能付きテーブルを提供する点にある。
【課題を解決するための手段】
【０００９】
本発明は、前述の課題解決のために、天板に設けた開口部に開閉可能にダクト蓋体を設けたテーブルにおいて、前記開口部に一対の軸受具を取付け、前記ダクト蓋体は前記ダクト枠の内形よりも一回り小さな形状の半分の大きさを有する板体であり、各ダクト蓋体の裏面一側縁の両端部を前記軸受具に回転可能に軸着し、水平な閉止状態と立起した開放状態をとることを特徴とする配線機能付きテーブルを構成した（請求項１）。
【００１０】
また本発明は、前述の課題解決のために、天板に設けた開口部に開閉可能にダクト蓋体を設けたテーブルにおいて、前記開口部にダクト枠を設けるとともに、その下方で開口部の中央部に杆体を有し、一対の軸受具を前記開口部内で前記杆体の両端部位置に取付け、該軸受具には一対の軸受筒の開放部を開口部の内部に向けて並設し、前記ダクト蓋体は前記ダクト枠の内形よりも一回り小さな形状の半分の大きさを有する板体であり、各ダクト蓋体の裏面一側縁の両端部に円柱状のスリーブを設け、該スリーブを前記軸受具の軸受筒に回転可能に嵌合してなることを特徴とする配線機能付きテーブルを構成した（請求項２）。
【００１１】
ここで、前記ダクト枠の下端には前記開口部の内部へ向けてフランジ部を有し、該フランジ部を前記杆体に取付け、前記軸受具には前記杆体を両側から挟みこんで保持する嵌合部と、前記フランジ部の上面に載置する固定部を有し、該固定部を前記フランジ部にネジ止めしてなることが好ましい（請求項３）。
【００１２】
また、前記ダクト蓋体は、下面の一側縁に沿って支軸を嵌着する保持部を突設し、該保持部から両端が突出した前記支軸の端部に円柱状の前記スリーブを同軸に嵌着し、該スリーブを前記軸受具の軸受筒の内部に回動可能に嵌合してなることも好ましい（請求項４）。
【００１３】
更に、前記両ダクト蓋体を開放状態に立起させたときには、若干オーバーハングする状態まで回動して前記ダクト蓋体の基端部が前記軸受具の軸受筒間の底面部に当接して停止し、両ダクト蓋体の遊端側が接近した略ハ字形の状態となって安定することがより好ましい（請求項５）。
【００１４】
あるいは、前記両ダクト蓋体を開放状態に立起させたときには、９０度の直立状態まで回動して、前記ダクト蓋体の基端部の近傍に設けた爪と軸受筒の後方の係合部でクリック感を生じさせて平行に保持することも好ましい（請求項６）。
【発明の効果】
【００１５】
以上にしてなる請求項１に係る発明の配線機能付きテーブルは、天板に設けた開口部に開閉可能にダクト蓋体を設けたテーブルにおいて、前記開口部に一対の軸受具を取付け、前記ダクト蓋体は前記ダクト枠の内形よりも一回り小さな形状の半分の大きさを有する板体であり、各ダクト蓋体の裏面一側縁の両端部を前記軸受具に回転可能に軸着し、水平な閉止状態と立起した開放状態をとるので、ダクト蓋体を開口部の中央部で立起した状態に開放することができ、開口部を広く開放することができ、コード類の配線作業が容易になり、また両ダクト蓋体を開放したときには、中央部に略平行に立起した状態となり、配線作業に邪魔にならない。
【００１６】
請求項２に係る発明の配線機能付きテーブルは、天板に設けた開口部に開閉可能にダクト蓋体を設けたテーブルにおいて、前記開口部にダクト枠を設けるとともに、その下方で開口部の中央部に杆体を有し、一対の軸受具を前記開口部内で前記杆体の両端部位置に取付け、該軸受具には一対の軸受筒の開放部を開口部の内部に向けて並設し、前記ダクト蓋体は前記ダクト枠の内形よりも一回り小さな形状の半分の大きさを有する板体であり、各ダクト蓋体の裏面一側縁の両端部に円柱状のスリーブを設け、該スリーブを前記軸受具の軸受筒に回転可能に嵌合してなるので、開口部内へのダクト蓋体の組み付けが容易であり、ダクト蓋体の開閉動作もスムーズに行え、ダクト蓋体の開放状態ではダクト開口部を広く開放することができる。
【００１７】
請求項３によれば、前記ダクト枠の下端には前記開口部の内部へ向けてフランジ部を有し、該フランジ部を前記杆体に取付け、前記軸受具には前記杆体を両側から挟みこんで保持する嵌合部と、前記フランジ部の上面に載置する固定部を有し、該固定部を前記フランジ部にネジ止めしてなるので、軸受具の取付作業が簡単であり、また取付強度が高い。
【００１８】
請求項４によれば、前記ダクト蓋体は、下面の一側縁に沿って支軸を嵌着する保持部を突設し、該保持部から両端が突出した前記支軸の端部に円柱状の前記スリーブを同軸に嵌着し、該スリーブを前記軸受具の軸受筒の内部に回動可能に嵌合してなるので、両ダクト蓋体が水平な閉止状態にあるときには、両両ダクト蓋体の基端部の間隔を狭くして外観性を高めることができ、また両ダクト蓋体が立起した開放状態にあるときには、重心が回転中心よりも開放方向に偏移するので開放状態が安定である。
【００１９】
請求項５によれば、前記両ダクト蓋体を開放状態に立起させたときには、若干オーバーハングする状態まで回動して前記ダクト蓋体の基端部が前記軸受具の軸受筒間の底面部に当接して停止し、両ダクト蓋体の遊端側が接近した略ハ字形の状態となって安定するので、ダクト開口部を広く開放することができ、それによりコード類の配線作業が容易になり、更に遊端側が接触しないようにすることができるので、ダクト蓋体同士が衝突して傷付くことを防止できる。
【００２０】
請求項６によれば、前記両ダクト蓋体を開放状態に立起させたときには、９０度の直立状態まで回動して、前記ダクト蓋体の基端部の近傍に設けた爪と軸受筒の後方の係合部でクリック感を生じさせて平行に保持するので、ダクト開口部を広く開放することができ、それによりコード類の配線作業が容易になり、更に遊端側が接触しないようにすることができるので、ダクト蓋体同士が衝突して傷付くことを防止できる。
【図面の簡単な説明】
【００２１】
【図１】本発明に係るテーブルの全体斜視図である。
【図２】同じくテーブルの平面図である。
【図３】天板に設けた配線装置の部分斜視図である。
【図４】同じくテーブルの部分底面図である。
【図５】中間脚と縦ダクトの構造を示す部分分解斜視図である。
【図６】縦ダクトの構造を示し、通常の状態の部分平面図である。
【図７】配線ダクト装置を構成する四角形状ダクト枠の分解斜視図である。
【図８】配線ダクト装置を構成するライン状ダクト枠の斜視図である。
【図９】四角形状ダクト枠の内部に軸受具を取付ける状態の分解斜視図である。
【図１０】軸受具とダクトカバーの関係を示す分解斜視図である。
【図１１】四角形状ダクト枠の内部に軸受具でダクトカバーを開閉可能に取付けた状態の斜視図である。
【図１２】ダクトカバーの閉止状態における軸方向と直交する方向の縦断面図である。
【図１３】図１２のＸ−Ｘ線断面図である。
【図１４】ダクトカバーの開放状態における軸方向と直交する方向の縦断面図である。
【図１５】ライン状ダクトを利用してフロントパネルを設けた例を示す斜視図である。
【図１６】同じくフロントパネルの支持構造を示す部分縦断面図である。
【発明を実施するための形態】
【００２２】
次に、添付図面に示した実施形態に基づき、本発明を更に詳細に説明する。図１及び図２は本発明に係るテーブルを示し、図３は天板に設けた配線ダクト装置を示し、図４〜図６はテーブルの構造を示し、図中符号１は天板、１Ａは中間天板、１Ｂは端部天板、２は棒脚、３は中間脚、４は縦ダクト、５は配線ダクト装置、５Ａは四角形状ダクト、５Ｂはライン状ダクト、６はダクト蓋体、７は開口部、７Ａはリング状開口部、７Ｂはライン状開口部をそれぞれ示している。
【００２３】
本発明に係るテーブルの全体構成は、図１及び図２に示すように、天板１は、偶数枚の中間天板１Ａ，…と２枚の端部天板１Ｂ，１Ｂを連設して構成される。前記天板１は横長の長尺体であり、長辺側を前後縁、短辺側を側縁と定義する。前記中間天板１Ａ，１Ａは前後に所定の間隔を設けて配置し、その対を側方に適宜連設する。前記端部天板１Ｂの長辺側は天板１の側縁に対応し、前記中間天板１Ａ，１Ａの側端部に長辺側が接合する。つまり、前後に配置した中間天板１Ａ，１Ａの前後縁間隔と前記端部天板１Ｂの長辺の寸法は一致させている。尚、前記端部天板１Ｂは、その横幅を中間天板１Ａの横幅に一致させた大きさのものを用いることもある。本実施形態では、前記中間天板１Ａと端部天板１Ｂは、パーティクルボードを用いて形成し、上面は化粧仕上げをしているが、周囲は切断したままで使用する。天板は、例えば裏面に塗装を施して着色したガラス板をパーティクルボードに積層した構造のものも適宜使用する。
【００２４】
そして、前記端部天板１Ｂの前後部は棒脚２，２で支持するとともに、左右の中間天板１Ａ，１Ａの連結部及び端部天板１Ｂと前後の中間天板１Ａ，１Ａの連結部においては中間脚３で支持し、該中間脚３は縦ダクト４の一部を構成している。前記天板１の下方空間はフットフリー、ワゴンフリーとなっており、棒脚２以外のどの位置でも着座することができ、また図示しないが引出し付きのキャビネット等を自由に配置することができ、前記縦ダクト４の前面側にも配置できるようになっている。
【００２５】
前記中間天板１Ａ，１Ａと端部天板１Ｂの境界部分及び４枚の中間天板１Ａ，…の境界部分に、前記配線ダクト装置５を構成する四角形状ダクト５Ａをそれぞれ設けるとともに、前後の中間天板１Ａ，１Ａの間に、同じく配線ダクト装置５を構成するライン状ダクト５Ｂを形成している。前記四角形状ダクト５Ａには、周囲にリング状開口部７Ａを残して二枚のダクト蓋体６，６を中央部で回動開閉可能に設け、該リング状開口部７Ａの一部は前記ライン状ダクト５Ｂのライン状開口部７Ｂに連通している。ここで、前記四角形状ダクト５Ａの下方には、前記縦ダクト４が位置し、互いに連通している。前記四角形状ダクト５Ａは、天板１の構成により２つ以上設けられ、隣接する四角形状ダクト５Ａ，５Ａはライン状ダクト５Ｂで繋がり、つまりリング状開口部７Ａ，７Ａはライン状開口部７Ｂで連通していることが特徴である。前記四角形状ダクト５Ａは、本実施形態では略正方形であるが、円形でも良く、上位概念では島状ダクトと表現できる。
【００２６】
次に、本発明に係るテーブルの全体構造を図４〜図６に基づいて簡単に説明する。前記棒脚２は、脚ブラケット８を介して天板１の下面に取付けられ、両脚ブラケット８，８間にエンドアーム９を連結している。前記中間脚３は、上端に中間アーム１０が側面視略Ｔ字状に取付けられ、該中間アーム１０は左右の中間天板１Ａ，１Ａの連結部及び端部天板１Ｂと前後の中間天板１Ａ，１Ａとの連結部に沿って配置されている。そして、隣接する前記中間脚３，３の上端間には、ファンクションビーム１１，１１が間隔を置いて平行に連結され、更に前記エンドアーム９の中間部と中間脚３の上端間にもファンクションビーム１１，１１が連結されている。そして、前記中間アーム１０の先端には中間ブラケット１２，１２が固定され、前記各中間天板１Ａ，…及び端部天板１Ｂ，１Ｂを前記中間脚３、脚ブラケット８、エンドアーム９、中間アーム１０、ファンクションビーム１１、中間ブラケット１２に載置し、前記脚ブラケット８を端部天板１Ｂ下面にネジ止めするとともに、前記エンドアーム９、中間アーム１０及び中間ブラケット１２に側設された取付片１３，…を用いて天板１下面にネジ止めしている。
【００２７】
更に、図４に示すように、前記中間天板１Ａ及び端部天板１Ｂの縁部には、側端面から下面縁部を覆うようにファンクションエッジ１４が設けられ、直線状に連続する部分においては、両ファンクションエッジ１４，１４を平面視略Ｔ字形の連結金具１５と断面略Ｌ字形の連結板１６とで連結するとともに、該連結金具１５を前記中間ブラケット１２に連結する一方、コーナー部においては、交差する両ファンクションエッジ１４，１４の端部をコーナーブラケット１７で連結している。そして、前記ファンクションエッジ１４を中間天板１Ａと端部天板１Ｂの下面にネジ止めするとともに、前記コーナーブラケット１７も前記ブラケット８と同時に端部天板１Ｂの下面にネジ止めする。
【００２８】
前記棒脚２は、前記脚ブラケット８を介して天板１の下面にネジ止めされる。前記脚ブラケット８は、平面視略四角形であり、内方へ向いた角部に嵌合部を突設し、角パイプで作成した前記エンドアーム９の端部を該嵌合部に外嵌し、ネジ止め連結できるようになっている。また、前記脚ブラケット８には、前記嵌合部と対角位置にある他の角部に前記コーナーブラケット１７を接合できるようになっている。
【００２９】
前記中間脚３は、図５及び図６に示すように、前後両側に支脚１８，１８を間隔を隔てて配置し、両支脚１８，１８の上端間に上向き開放した断面コ字形の支持杆１９を渡設するとともに、下部間に連結杆２０を連結し、更にそれぞれの支脚１８の下端には左右方向へ向いた接地杆２１を逆Ｔ字状に設け、該接地杆２１の両端部にはアジャスター２２，２２を設けた構造である。尚、前記接地杆２１を省略して前記両支脚１８，１８の下端に直接又は間接的にアジャスター２２，２２を設けることもある。
【００３０】
そして、前記中間アーム１０の中央部を、前記中間脚３の支持杆１９の凹溝内に嵌合し、下方からネジ止めしている。尚、前記支脚１８，１８の上端部に凹部を設け、該凹部内に前記中間アーム１０の中央部を嵌合して固定し、前記支持杆１９を省略することも可能である。ここで、前記中間アーム１０は、角パイプで形成され、両端部に前記中間ブラケット１２，１２を取付け、中間部には前記取付片１３，…の他に前記中間脚３の近傍位置に偏平な連結片２３，２３を設けている。また、前記中間脚３の両支脚１８，１８の上端左右両側には、前記ファンクションビーム１１の端部を外嵌してネジ止め連結するための嵌合部２４，２４を突設している。
【００３１】
前記縦ダクト４は、図５及び図６に示すように、前記中間脚３を用いて構成されている。前記縦ダクト４は、両支脚１８，１８の間に、上段コード受け２５を前記支持杆１９又は中間アーム１０に直接に吊止部材２６を用いて吊り下げ状に設けるとともに、下段コード受け２７を高さ調節可能に設け、更に前記中間脚３の両支脚１８，１８と上段コード受け２５及び下段コード受け２７を取り囲むように一対のダクトカバー２８，２８を対向配置し、該ダクトカバー２８，２８の両端縁部を両支脚１８，１８の外側側面に係着手段にて着脱可能且つ取付位置を側方へ変更可能に設けて構成されている。
【００３２】
次に、図３、図７〜図１４に基づいて本発明に係る配線ダクト装置５の詳細を更に説明する。先ず、図７に示すように、前後に位置する前記中間天板１Ａ，１Ａは、互いに所定間隔を設けて配置して間に溝２９を形成するとともに、中間天板１Ａ，１Ａの対向する側の両端部の角部に平面視略正方形の切欠部３０，３０をそれぞれ形成するとともに、該切欠部３０，３０に対応する前記端部天板１Ｂの長辺側中央部に平面視長方形の切欠部３１を形成し、前記切欠部３０，３０と切欠部３１で平面視略正方形の開口部３２が形成される。前記開口部３２のコーナー部は丸く加工している。尚、４枚の中間天板１Ａ，…の境界部分では、４つの切欠部３０，…によって同様な平面視略正方形の開口部３２が形成される。
【００３３】
そして、前記平面視略正方形の開口部３２には、図３及び図７に示すように、四角形状ダクト枠３３を上方から嵌合し、前記溝２９には、図３及び図８に示すように、各中間天板１Ａ，１Ａの端部にライン状ダクト枠３４を取付けてライン状開口部７Ｂを形成する。更に詳しくは、前記四角形状ダクト枠３３は、４本の直線枠３５，…と、４つのコーナー枠３６，…とからなり、前記ライン状開口部７Ｂに交差する一側又は両側の直線枠３５の中央部には前記ライン状開口部７Ｂに連通する凹溝部３７を形成したものである。前記凹溝部３７を有する直線枠３５とコーナー枠３６は、合成樹脂製の成形品であり、その他の直線枠３５は合成樹脂又はアルミニウム製の押出し型材を所定長さに切断して製造したものである。前記直線枠３５とコーナー枠３６の連結は、該コーナー枠３６の端部の上下に突設した突起３８，３８を直線枠３５の上下部の係合溝３９，３９内に嵌合するとともに、コーナー枠３６の端面に設けた孔４０に通したネジ４１を直線枠３５の上下中間部に設けた下穴４２に螺合して行う。
【００３４】
前記直線枠３５とコーナー枠３６は、前記切欠部３０，３０と切欠部３１の内壁を覆う本体部を有し、本体部の上縁に前記中間天板１Ａと端部天板１Ｂの上縁に被る鍔部４３，４４をそれぞれ一体形成するとともに、下端に開口部３２の内部に向けてフランジ部４５，４６をそれぞれ一体形成している。前記直線枠３５の鍔部４３とフランジ部４５は、前記コーナー枠３６の鍔部４４とフランジ部４６にそれぞれ連続するように端部同士が接合する。一方、前記ライン状ダクト枠３４は、合成樹脂又はアルミニウム製の押出し型材を所定長さに切断して製造し、前記中間天板１Ａの端部面を覆う側面板４７の上縁に前記鍔部４３と同様の鍔部４８を形成するとともに、下端に前記中間天板１Ａの下面に取付けるための取付板４９を一体成形している。
【００３５】
そして、前記四角形状ダクト枠３３は、図７及び図９に示すように、前記開口部３２に上方から嵌挿し、周囲の鍔部４３，４４を中間天板１Ａ及び端部天板１Ｂの縁部に載置するとともに、前後の直線枠３５，３５のフランジ部４５，４５を前記中間アーム１０の上面に載置し、該フランジ部４５，４５に形成した通孔５０，５０に通した固定ネジ５１，５１を中間アーム１０の上面に形成した下穴５２に螺合して取付ける。前記ライン状ダクト枠３４は、前記溝２９内に位置させ、中間天板１Ａの端面に嵌合し、取付板４９を該中間天板１Ａの下面にネジ止めして取付ける。尚、図９は、天板１を省略している。この状態で前記直線枠３５に形成した凹溝部３７は、前記ライン状開口部７Ｂに連通するようになる。
【００３６】
それから、図９〜図１４に前後の直線枠３５，３５のフランジ部４５，４５に軸受具５３，５３を取付け、前記ダクト蓋体６，６を開閉可能に枢支する。前記軸受具５３は、前記支持杆１９（杆体）を両側から挟みこんで保持する嵌合部５４と、前記直線枠３５のフランジ部４５の上面に載置する固定部５５を有し、前記嵌合部５４の上部に一対の軸受筒５６，５６の開放部を開口部３２の内部に向けて設けている。前記固定部５５には、中央部に凹陥部５７を形成し、その両側は外側へ向けて傾斜面５８，５８を形成し、前記凹陥部５７の底部に前記固定ネジ５１の頭部を逃がすための切欠５９を形成するとともに、その両側に通孔６０，６０を形成し、該通孔６０，６０の上方から通したネジ６１，６１を前記フランジ部４５に形成した下穴６２，６２に螺合して前記軸受具５３を取付ける。
【００３７】
前記ダクト蓋体６は、図１０及び図１１に示すように、前記四角形状ダクト枠３３の内形よりも一回り小さな略正方形の半分の大きさを有する板体であり、裏面の長辺の一側縁に沿って支軸６３を嵌着する保持部６４を突設し、該保持部６４から両端が突出した前記支軸６３の端部に円柱状のスリーブ６５を同軸に嵌着し、該スリーブ６５を前記軸受具５３の軸受筒５６の内部に回動可能に嵌合する。実際には、前記軸受具５３を四角形状ダクト枠３３に取付ける前に、各ダクト蓋体６の両端部のスリーブ６５，６５をそれぞれ軸受具５３，５３の対向する軸受筒５６，５６に挿入した状態で、該軸受具５３，５３を前述のように四角形状ダクト枠３３に取付ける。そして、前記軸受具５３の凹陥部５７には、それを塞ぐようにキャップ６６を嵌着して前記固定ネジ５１及びネジ６１，６１を隠蔽する。尚、前記軸受具５３は、嵌合部５４と傾斜面５８，５８を無くし、この部分を取付板とし、該取付板に前記固定ネジ５１とネジ６１，６１を挿通する通孔をそれぞれ形成し、前記固定ネジ５１で取付板と直線枠３５のフランジ部４５とを同時に中間アーム１０の上面にネジ止めするとともに、前記同様にネジ６１，６１で取付板をフランジ部４５に固定する。そして、前記固定ネジ５１及びネジ６１，６１を隠す台形状のキャップ６６を取付板に嵌着して外形は前述のものと同様にすることも可能である。
【００３８】
そして、図３、図１１〜図１３に示すように、前記ダクト蓋体６，６を水平な閉止状態としたとき、前記軸受具５３に該ダクト蓋体６の裏面を当止する受部６７，６７を弾性部材で設けている。また、前記ダクト蓋体６，６を開放状態に立起させたときには、若干オーバーハングする状態まで回動して前記ダクト蓋体６の基端部６８が前記軸受具５３の軸受筒５６，５６間の底面部６９に当接して停止し、図１４に示すように、両ダクト蓋体６，６の遊端側、つまり上端側が接近した略ハ字形の状態となって安定する。開放状態の前記ダクト蓋体６は、重心が前記支軸６３の回転中心よりも中央側に偏移しているので、その状態を安定に維持するのである。また、前記ダクト蓋体６の閉止状態と開放状態の回動終端においてクリック感を持たせるために、前記軸受筒５６とスリーブ６５の摺動面部分に弾性係合する弾片と凹部を設けても良い。尚、前記ダクト蓋体６は９０度に立起した直立状態でも良く、その状態でダクト蓋体６の基端部６８の近傍に設けた爪と軸受筒５６の後方の係合部でクリック感を生じさせて安定に保持できるようにすることも可能である。ここで、前記ダクト蓋体６をアルミニウム製で製造した場合でも、両ダクト蓋体６，６は接触しないので、傷付くこともない。また、前記キャップ６６の内側部には、前記ダクト蓋体６，６の開放状態での基端部６８，６８に干渉しないように逃がし部７０を設けている。
【００３９】
このように、前記ダクト蓋体６，６の閉止状態では、前記四角形状ダクト枠３３の内周面と当該ダクト蓋体６，６の外周縁の間には、図１２及び図１３に示すように、所定幅のリング状開口部７Ａが形成され、該リング状開口部７Ａの下方には前記直線枠３５とコーナー枠３６のフランジ部４５，４６が位置するので、上から覗き込んでも下方の縦ダクト４の内部が見えないようにしている。
【００４０】
前記天板１の上で使用するノート型パーソナルコンピュータ（ＰＣ）やタブレット型ＰＣ等の電子機器に、電源を供給したり、ＬＡＮケーブル等の通信線を接続したりするには、アクセスフロアの表面に敷き詰めたタイルカーペットの接合部分から各種のコード類を引き出し、前記縦ダクト４の内部を通して前記四角形状ダクト５Ａやライン状ダクト５Ｂから天板１の上面へ引き出して使用する。ここで、コード類の配線作業中には、前記ダクト蓋体６を開放状態で行うが、配線後に該ダクト蓋体６を閉止状態にしても、その周囲に有するリング状開口部７Ａから引き出すことが可能である。
【００４１】
図１５及び図１６は、前記ライン状ダクト５Ｂを利用してフロントパネル７１を立設する実施形態を示している。前記ライン状ダクト５Ｂに対応する中間天板１Ａ，１Ａの下面側に、固定板７２を前記リング状開口部７Ａを交差するようにわたしてネジ止めし、該固定板７２から前記ライン状開口部７Ｂを通して中間天板１Ａの上面側に、前記ライン状ダクト５Ｂに沿って長尺の保持部材７３を設け、該保持部材７３の上面側に開口した嵌合溝に前記フロントパネル７１の下端縁を嵌入して立起状態に保持するのである。
【００４２】
また、図４に示すように、前記ライン状ダクト５Ｂに対応する中間天板１Ａ，１Ａの下面側に、前記ファンクションビーム１１，１１を利用してコード受け７４，７４を設け、前記ライン状開口部７Ｂから引き出すコード類を一旦コード受け７４で受けた後に、引き出しても良く、また天板１の上面の余剰コード類をライン状開口部７Ｂから落とし込んで、前記コード受け７４で受けても良い。
【符号の説明】
【００４３】
１  天板、                    １Ａ  中間天板、
１Ｂ  端部天板、              ２  棒脚、
３  中間脚、                  ４  縦ダクト、
５  配線ダクト装置、          ５Ａ  四角形状ダクト（島状ダクト）、
５Ｂ  ライン状ダクト、        ６  ダクト蓋体、
７  開口部、                  ７Ａ  リング状開口部、
７Ｂ  ライン状開口部、        ８  脚ブラケット、
９  エンドアーム、            １０  中間アーム（杆体）、
１１  ファンクションビーム、  １２  中間ブラケット、
１３  取付片、                １４  ファンクションエッジ、
１５  連結金具、              １６  連結板、
１７  コーナーブラケット、    １８  支脚、
１９  支持杆（杆体）、        ２０  連結杆、
２１  接地杆、                ２２  アジャスター、
２３  連結片、                ２４  嵌合部、
２５  上段コード受け、        ２６  吊止部材、
２７  下段コード受け、        ２８  ダクトカバー、
２９  溝、                    ３０  切欠部、
３１  切欠部、                ３２  開口部、
３３  四角形状ダクト枠、      ３４  ライン状ダクト枠、
３５  直線枠、                ３６  コーナー枠、
３７  凹溝部、                ３８  突起、
３９  係合溝、                ４０  孔、
４１  ネジ、                  ４２  下穴、
４３  鍔部、                  ４４  鍔部、
４５  フランジ部、            ４６  フランジ部、
４７  側面板、                ４８  鍔部、
４９  取付板、                ５０  通孔、
５１  固定ネジ、              ５２  下穴、
５３  軸受具、                ５４  嵌合部、
５５  固定部、                ５６  軸受筒、
５７  凹陥部、                ５８  傾斜面、
５９  切欠、                  ６０  通孔、
６１  ネジ、                  ６２  下穴、
６３  支軸、                  ６４  保持部、
６５  スリーブ、              ６６  キャップ、
６７  受部、                  ６８  基端部、
６９  底面部、                ７０  逃がし部、
７１  フロントパネル、        ７２  固定板、
７３  保持部材、              ７４  コード受け。
【図１】
2014097204.tif 000003
【図２】
2014097204.tif 000004
【図３】
2014097204.tif 000005
【図４】
2014097204.tif 000006
【図５】
2014097204.tif 000007
【図６】
2014097204.tif 000008
【図７】
2014097204.tif 000009
【図８】
2014097204.tif 000010
【図９】
2014097204.tif 000011
【図１０】
2014097204.tif 000012
【図１１】
2014097204.tif 000013
【図１２】
2014097204.tif 000014
【図１３】
2014097204.tif 000015
【図１４】
2014097204.tif 000016
【図１５】
2014097204.tif 000017
【図１６】
2014097204.tif 000018